(57)【要約】【課題】犬の糞取り具には次の課題がある。イ）大きく重量がある。ロ）糞取り具が汚れる。ハ）大、小型犬に同一具で対応できない。間歇的に糞をした場合取替えが面倒である。臭いがする。ニ）コスト高、ランニングコストも無視できない。ホ）糞取り具という目立つ外観で抵抗がある。【解決手段】    平板Ａ、軟質ゴム体スペーサーＢ２枚で構成する（平板Ａは左右二辺に平行な二等分線又は四等分線上で内折れが可能）糞取り具はポリ袋１を多重に被せ中央の折り目で内側に適宜な角度開いて糞を落下まえに平板Ａで捕らえる。捕獲後平板Ａを二つ折りにした状態で外側ポリ袋端２を前方方向に引くとポリ袋が反転し糞をポリ袋内部に納める。ポリ袋開口部を閉じて棄却場所で捨てる。上記糞取り工程を特徴とする課題解決可能な犬の糞取り具を提供する。また同機能を持つカバー付、カバン付糞取り具を提供する。【選択図】    図３
2005261372.tif 000002
【特許請求の範囲】
【請求項１】
矩形薄平板Ａ（以後の略称、平板Ａ）、短冊形の軟質ゴム体スペーサーＢ（以後の略称、スペーサーＢ）二枚で構成され、平板Ａは左右二辺に平行な二等分線又は四等分線で内折れが可能（各ＣＬ１，Ｌ４）。二枚のスペーサーＢはその長辺を平板Ａの内折れ二等分線に沿って平行に並べて固定される。使用前に平板Ａの前後辺より幅広のポリ袋１（買い物用ポリ袋、包装用ポリ袋）を平板Ａ前方より多重に被せる。中央の折り目で内側に二つ折りにして携行し、必要時には適宜な角度に折り目を開いて前辺を犬の尻にあて糞を落下まえにポリ袋を介した平板Ａで捕らえる。捕獲後平板Ａを二つ折りにして平板Ａの外側中央折り目にあるポリ袋端２を後方より前方方向に引くとスペーサーＢ同士の間にポリ袋底部中央および側面の一部を押さえているのでポリ袋の外面が内面に反転する。結果として糞をポリ袋内部に納め得る。次に糞の入ったポリ袋開口部を閉じて平板Ａの二つ折の間に挟み携行して、棄却場所で糞入りポリ袋を捨てる。上記糞取り工程を特徴とするポリ袋以外は汚さず簡単に操作できる犬の糞取り具
【請求項２】
請求項１に記載の糞取り具であって、平板Aは左右二辺に平行な二等分に平行に左右にスペーサーＢ の幅と同一長さで外折れ線３を有することを特徴とするポリ袋以外は汚さず簡単に操作できる犬の糞取り具
【請求項３】
請求項１または請求項２に記載の糞取り具において携行時、二つ折り平板Aが容易に開かぬように後方部の左右コーナーにホック４を設けることと、平板Ａの二つ折角度が適当な長さに調節できるために、前面よりポリ袋高さより短い距離に平板Ａの左右辺よりゴム入り紐Ｅを設けることを特徴とする、ポリ袋以外は汚さず簡単に操作できる犬の糞取り具
【請求項４】
請求項１または請求項２または請求項３に記載の糞取り具にあって、その糞取り具と、携行が容易かつ見栄えを良くする糞取り具カバーC（以後略称、カバーC）より成り、カバーCは柔軟性のあるカバーシート５とホック６で成り後部左右のどちらか一箇所７で糞取り具と連結することを特徴とするカバー付糞取り具
【請求項５】
請求項１または請求項２または請求項３に記載の糞取り具にあって、その糞取り具と、携行が容易かつ見栄えを良くする糞取り具カバン（以後略称、カバンD）より成る。カバンDは開口部が底面の中央より９５%間（ｐ１−ｐ２）を除きすべてで、開閉は一本のジッパー８と両方向開きの二個のスライド９で成り、平板Aの二つ折り線後部二点間（ｑ１−ｑ２）とカバンDの底部一点９で連結されることを特徴とするカバン付糞取り具
【発明の詳細な説明】
【技術分野】
【０００１】
本発明は、犬の散歩時に簡単、衛生的に糞を始末できる糞取り具と老若男女にかかわらず抵抗感無く携行できるコンパクトな糞取り具
【背景技術】
【０００２】
犬の散歩時、糞の始末方法としては新聞、ポリ袋等を媒介して地面の糞を手で直接取ったりかき取り道具を使ったり、糞の落下点に敷物又は始末具をおき処理したりする工夫はあるが手で間接的でも触れるので気持ちが悪い、地面に付着した糞は完全には採取できないなど課題がある。糞を落下前に受け取る事により上記課題は解消するが使うには今一段の工夫がいる。始末する道具がまさに始末具いう外観で恥ずかしくてもてないというのが第一理由。また何度も糞をする場合、複数の犬を伴う場合，大型、小型犬を伴う場合とか適応できない。また糞をとった後の携行時不快な臭いがする。糞取り具が糞で汚染される恐れがある。壊れ難く、安価で、コンパクトな糞取り具は見当たらない。
【０００３】
【特許文献１】特開２００４−７３１６４号公報
【特許文献２】特開２００３−１５８９３７公報
【発明の開示】
【発明が解決しようとする課題】
【０００４】
イ）糞取り具は大きく重量があり持つには抵抗感がある。
ロ）時には糞取り具が汚れる恐れがある。
ハ）大型、小型の犬に同一具では対応できない。間歇的に糞をした場合受け具の取替えが面倒である。処理後携行時に臭いがする
ニ）複雑な機構にするとコスト高でかつランニングコストも無視できない。
ホ）携行時いかにも糞取り具という目立つ外観であり持つには抵抗感がある
そこで、本発明は糞取り作業が迅速、簡便で糞取り具を汚さず、犬のサイズにかかわらず、また間歇的処理にも耐え、糞はポリ袋に閉じ込め始末具内に収まり、２つ折のコンパクトで目立たない糞取り具を提供する。
また、外観上通常のカバンと変わらず、しかも始末作業性の良いカバー付又はカバン付糞取り具を提供する。
【課題を解決するための手段】
【０００５】
以上の課題を解決するために
矩形薄平板Ａ（以後の略称、平板Ａ）、短冊形の軟質ゴム体スペーサーＢ（以後の略称、スペーサーＢ）二枚で構成され、平板Ａは左右二辺に平行な二等分線又は四等分線上で内折れが可能（各ＣＬ１，Ｌ４）。二枚のスペーサーＢはその長辺を平板Ａの内折れ二等分線に沿って平行に並べて固定される。使用前に平板Ａの前後両辺より幅広のポリ袋１（買い物用ポリ袋、包装用ポリ袋）を平板Ａ前方より多重に被せる。中央の折り目で内側に二つ折りにして携行し、必要時には適宜な角度に折り目を開いて前辺を犬の尻にあて、糞を落下まえにポリ袋を介した平板Ａで捕らえる。捕獲後平板Ａを二つ折りにした状態で平板Ａの外側中央折り目にあるポリ袋端２を後方より前方方向に引くとスペーサーＢ同士の間でポリ袋底部中央および側面の一部を押さえているのでポリ袋の外面が内面に反転する。結果として糞をポリ袋内部に納め得る。次に糞の入ったポリ袋開口部を閉じて平板Ａの二つ折の間に挟み携行して、棄却場所で糞入りポリ袋を捨てる。上記糞取り工程を特徴とするポリ袋以外は汚さず簡単に操作できる犬の糞取り具を提供することにより課題イ）大きさ、重量は最小サイズかつ軽量に収めうる。課題  ロ）については糞取り部分がポリ袋で何重にも被われおり汚れることはない。課題ハ）の大小の犬に対応させるには平板の中央の折れ目角度を変えることにより対応できる。また間歇的に糞をしても多重にポリ袋を被せポリ袋の反転作業は繰り返し出来るので心配がない。課題ニ）の製造コストについては使用材料が安価で製作も簡単なので解決する
また上記に記載の糞取り具であってスペーサーＢ同士の圧締力を増強してポリ袋の反転作業をより確実にするため必要に応じ平板Aは左右二辺に平行な2等分線に平行に左右にスペーサーＢ の幅と同一長さで外折れ線３を設けることを特徴とする犬の糞取り具を提供することで課題イ）ロ）ハ）ニ）は同様に解決する。
上記に記載の糞取り具であって必要に応じ携行時、二つ折り平板Aが容易に開かぬように後方部の左右コーナーにホック４を設ける。平板Ａの二つ折角度が適当に調節できるようにするため、前面よりポリ袋高さより短い距離に平板Ａの左右辺を渡してゴム入り紐を設けることを特徴とする犬の糞取り具を提供することで課題イ）ロ）ハ）ニ）解決する。ゴム入り紐Ｅより後方はポリ袋の側面の一部が壁をつくり糞による手の汚れを防止する効果もある。
次に上記記載の糞取り具を見栄え良くする方法につき説明する
上記に記載のすべての糞取り具にあって、その糞取り具と携行が容易かつ見栄えを良くする糞取り具カバーC（以後略称、カバーC）より成り、カバーCは柔軟性のあるカバーシート５とホック６で成り後部一箇所７で糞取り具と連結することを特徴とする収納カバー付糞取り具を提供することで課題ホ）は解決しイ）ロ）ハ）ニ）ホ）すべてが解決する。
引き続き上位記載のすべての糞取り具を見栄え良くする方法の別方式につき説明する。
請求項１又は請求項２に記載の糞取り具にあって、その糞取り具と携行が容易かつ見栄えを良くする糞取り具カバン（以後略称、カバンD）より成り、カバンDは開口部が底面９５%間（ｐ１−ｐ２）を除きすべてで、開閉は一本のジッパー８と両サイド開きのつまみ９であり、平板Aの二つ折り線後部二点間（ｑ１−ｑ２）とカバンDの底部一点９で連結されることを特徴とするカバン付糞取り具を提供することで課題ホ）の糞取り具の印象は消え通常のカバンを携行する印象を与える。イ）ロ）ハ）ニ）ホ）とすべて解決する。
【発明の効果】
【０００６】
以上の説明から明らかなように本発明の請求項１ないし請求項２、請求項３よりなる犬の糞取り具は二つ折り平板Ａを広げて糞を受けるので作業は容易かつ確実に行える。平板A は ポリ袋に多重に覆われており糞はポリ袋反転時にポリ袋内に完全に閉じ込められるので糞取り具の汚れる恐れは無い。多層のポリ袋の反転作業はスペーサーＢ間にポリ袋の底部から側面にかけ部分的に固定されており一枚一枚確実に行われる。亦平板Ａの中央折れ目角度を犬の大きさに応じて対応させるので大型、小型のサイズの犬に同一具で対応できる。
間歇的に糞をした場合は初回にした糞はポリ袋内に納まりかつ糞取り具の受け内にあるので次回の糞の処理時にポリ袋を反転させると糞と一緒に初回のポリ袋は次回のポリ袋内に収納される。初回と同じく糞取り具は汚れる恐れは全く無い。処理後携行時には糞はポリ袋に収まっているので臭いは無い。
平板Aの材料は主に紙、プラスチック、合板等安価でありまた軟質ゴム体も少量なので安価である。複雑な作りこみは無く製造費も安価である。また消耗品のポリ袋は買い物時に発生した物のリサイクルができ好都合である。
請求項３、請求項４にてなるカバー付ないしはカバン付糞取り具は、携行時糞取り具という些かの印象も与えない外観上はカバー、ないしはカバンであり、意匠の工夫でファッションにもなる。軽くコンパクトで女性が持つにも抵抗感がない。また糞取り作業時のカバー、ないしはカバンからの脱着は容易にして短時間なので落下前に糞の受け取る時間は充分あり、かつ収納時もポリ袋反転が確実に行えるので一連の作業は短時間に終わる。
【発明を実施するための最良の形態】
【０００７】
本発明の第一実施形態について図１―図４を参照して説明する。  
図１は平板Ａに二枚のスペーサーＢを取り付けた斜視図で左右二辺に二等分線で内折れした場合と四等分線で内折れした（各ＣＬ１，Ｌ４）、平板Ａの各斜視図を示す。図２は第一実施例の糞取り具にポリ袋１を被せある角度で糞を取った斜視図です。図３は糞をとった後の工程で、糞を取った次に平板Ａ折れ角度を狭め二つ折りにして、次にポリ袋の外側サイドの開口部端２をつまみ反転させるまでの工程を示す。図４に糞を収めたポリ袋を二つ折れ平板内に収めた状態を示す。
図１に示す平板Ａは軽量のプラスチックシート（ポリプロピレン、ＡＢＳ等）またはプラスチック低発砲シート、また紙製品ではダンボール、厚板等も使えるが耐水性向上のため耐水処理とか薄いビニルシート被せることが望まし。内折加工はプラスチック、紙に適した方法で実施のこと。第一実施例では平板Ａはダンボール製で厚みは５ｍｍ  サイズは幅１９０ｍｍ  長さ  ２５０ｍｍである。
スペーサーＢの材料は軟質ゴムおよび同等の特性を有する軟質ウレタンおよび其の発泡体等である。両スペーサー間に圧縮されたポリ袋の部分がポリ袋反転時の力では動かぬ特性を持つことが要求される。ポリ袋は最低３枚挟んでも反転特性を発揮するようスペーサーＢの厚みを決める。第一実施例では軟質ウレタン発泡体は  厚み１０ｍｍ、幅２０ｍｍ、  長さ９０ｍｍ（前後両辺の二分の一の長さにする。これ以上長い場合ポリ袋の幅が前後両辺の長さに近づくと反転が困難となる。最低長さは５ｍｍである）幅は最低５ｍｍ、最高は平板Ａの前後辺の二分の一である。
平板ＡとスペーサーＢの固定はゴム系接着剤か両面テープ、ホッチキスまたその併用が良い。
本発明の第２実施形態について図５を参照して説明する。図５は平板Ａに二枚のスペーサーＢを取り付けた斜視図で左右に二等分線で内折れした場合と又は左右四等分線で内折れした場合がありさらに左右二辺に平行な二等分に平行に左右にスペーサーＢ の幅と同一長さで外折れ線３を有する平板Ａの各斜視図示す。左右の外折れ線の導入によりポリ袋を挟んだスペーサーＢ  の締め付け力(圧締力)は増しポリ袋を反転できる枚数が３枚以上になるので、犬の散歩の度にポリ袋を被せる手間が省ける。平板ＡおよびスペーサーＢの材質、寸法は第１実施例に示したものと同一である。
本発明の第３実施形態について図６を参照して説明する
図６は第一実施例の糞取り具に二つ折り平板Aが携行時に容易に開かぬように後方部の左右コーナーにホック４を設けたことと、平板Ａの二つ折角度が適当に調節できるために、前面よりポリ袋高さより短い距離に平板Ａの左右辺よりゴム入り紐Ｅを設けることを示す。第３実施例により実際の使い勝手が増す。さらにゴム入り紐の導入により平板Ａに挿入されたポリ袋の内部折れ面はゴム入り紐より後方ではゴム入り紐を覆うようになり結果的に糞採集時操作する手の糞汚染防止に寄与する効果もある。ホック４はマジックテープや他の開閉容易な手段も適用できる。
本発明の第４実施形態について図７―図８を参照して説明する。
図７はカバー付糞取り具にポリ袋１を挿入するところ及びカバーを閉じた斜視図を示す。図８は糞取り時の糞取り具の状態を示す。カバーCは柔軟性のあるカバーシート５で出来ており通常のカバンに用いるレザー布やナイロン布でよい。開閉ホック６はマジックテープでも代替できる。後部左右のどちらか一箇所７で糞取り具と連結しているので糞取り操作は容易である。
本発明の第５実施形態について図９を参照して説明する。
図９はカバン付糞取り具の糞取り具収納時の外観と、糞取り具取り出し時の外観及び糞取り具とカバンの連結部分の拡大図を示す。糞取り具取り出しの操作を容易にするためカバンDは開口部が底面の中央より９５%間（ｐ１−ｐ２）を除きすべてであり、開閉は一本のジッパー８と両方向開きの二個のスライダー９で成る。糞取り具取り出しの作業性が良い。平板Aの二つ折り線後部二点間（ｑ１−ｑ２）とカバンDの底部一点９で連結されることで糞取り具は取り出し時カバンより前にスライドするので糞取り時のカバンの汚れがなく同時に糞取り作業性が良い。
【産業上の利用可能性】
【０００８】
本発明による糞取り具は犬だけでなくサイズ形状を考慮すれば他の愛玩動物への適用も可能である。さらにこのポリ袋反転機構はスーパー等のレジにて食料品をすばやくポリ袋にて包装する設備の開発にも適用できる。犬の糞取り具実施方法を示した説明図である。  
【図面の簡単な説明】
【０００９】
【図１】犬の糞取り具実施方法を示した説明図である。（実施例１）
【図２】犬の糞取り具実施方法を示した説明図である。（実施例１）
【図３】犬の糞取り具実施方法を示した説明図である。（実施例１）
【図４】犬の糞取り具実施方法を示した説明図である。（実施例１）
【図５】犬の糞取り具実施方法を示した説明図である。（実施例２）
【図６】犬の糞取り具実施方法を示した説明図である。（実施例３）
【図７】犬の糞取り具実施方法を示した説明図である。（実施例４）
【図８】犬の糞取り具実施方法を示した説明図である。（実施例４）
【図９】犬の糞取り具実施方法を示した説明図である。（実施例５）
【符号の説明】
【００１０】
１ポリ袋
２外側中央折り目にあるポリ袋端
３外折れ線
４ホック（糞取り具）
５カバーシート
６ホック（カバー付糞取り具）
７カバーと糞取り具の連結点
８ジッパー
９ジッパーのスライダー
Ａ本体
Ｂスペーサー
Ｃカバー
Ｄカバン
Ｅゴム付紐
【図１】
2005261372.tif 000003
【図２】
2005261372.tif 000004
【図３】
2005261372.tif 000005
【図４】
2005261372.tif 000006
【図５】
2005261372.tif 000007
【図６】
2005261372.tif 000008
【図７】
2005261372.tif 000009
【図８】
2005261372.tif 000010
【図９】
2005261372.tif 000011